(57)【要約】【課題】情報機器を用いて本人確認資料を提出することを目的とする。【解決手段】記憶装置と表示装置と撮像装置と通信装置とを有する情報機器であって、挿入されたキャッシュカードに基づいて口座情報及びユーザ情報を取得し、記憶装置に記憶し、キャッシュカードを排出し、本人確認資料の送付の選択画面を表示装置に表示し、本人確認資料の送付が選択され、本人確認資料が挿入された場合、撮像装置で本人確認資料を撮像し、記憶装置に記憶された口座情報及びユーザ情報と撮像装置で撮像された本人確認資料の画像データとを関連付けて通信装置を介して外部装置に送信する。【選択図】図３
2018151755.tif 000002
【特許請求の範囲】
【請求項１】
記憶装置と表示装置と撮像装置と通信装置とを有する情報機器であって、
挿入されたキャッシュカードに基づいて口座情報及びユーザ情報を取得し、前記記憶装置に記憶し、
前記キャッシュカードを排出し、
本人確認資料の送付の選択画面を前記表示装置に表示し、
前記本人確認資料の送付が選択され、前記本人確認資料が挿入された場合、前記撮像装置で前記本人確認資料を撮像し、
前記記憶装置に記憶された前記口座情報及びユーザ情報と前記撮像装置で撮像された前記本人確認資料の画像データとを関連付けて前記通信装置を介して外部装置に送信する情報機器。
【請求項２】
前記本人確認資料の種類を選択する画面を前記表示装置に表示し、
前記画面において運転免許証が選択された場合、前記撮像装置で前記挿入された本人確認資料の表面と裏面とを撮像し、
前記記憶装置に記憶された前記口座情報及びユーザ情報と前記撮像装置で撮像された前記本人確認資料の表面と裏面との画像データとを関連付けて前記通信装置を介して外部装置に送信する請求項１記載の情報機器。
【請求項３】
前記本人確認資料の画像データのファイル名を前記口座情報及びユーザ情報とすることで前記記憶装置に記憶された前記口座情報及びユーザ情報と前記撮像装置で撮像された前記本人確認資料の画像データとを関連付けて前記外部装置に送信する請求項１記載の情報機器。
【請求項４】
前記キャッシュカードに基づき取得した前記口座情報及びユーザ情報に基づいて本人確認資料の送付の要否を、前記通信装置を介して外部装置に問い合わせ、
前記問い合わせの結果、本人確認資料の送付を要する場合、本人確認資料の送付を促す画面を表示する請求項１乃至３何れか１項記載の情報機器。
【請求項５】
前記情報機器は、ＡＴＭ（Ａｕｔｏｍａｔｉｃ  Ｔｅｌｌｅｒ  Ｍａｃｈｉｎｅ）である請求項１乃至４何れか１項記載の情報機器。
【請求項６】
情報機器と外部装置とを含むシステムであって、
前記情報機器は、
挿入されたキャッシュカードに基づいて口座情報及びユーザ情報を取得し、取得した情報を記憶し、
前記キャッシュカードを排出し、
本人確認資料の送付の選択画面を表示し、
前記本人確認資料の送付が選択され、前記本人確認資料が挿入された場合、前記本人確認資料を撮像し、
前記記憶された前記口座情報及びユーザ情報と前記撮像された前記本人確認資料の画像データとを関連付けて外部装置に送信し、
前記情報機器、又は前記外部装置は、
前記本人確認資料の画像データの所定の領域にマスキング処理を行うシステム。
【請求項７】
前記外部装置は、
前記情報機器より送信された前記口座情報及びユーザ情報と前記本人確認資料の画像データとを関連付けて記憶しており、
入力された口座情報に基づいて、前記記憶されているデータより該当する本人確認資料の画像データを取得し、表示する請求項６記載のシステム。
【請求項８】
記憶装置と表示装置と撮像装置と通信装置とを有する情報機器が実行する情報処理方法であって、
挿入されたキャッシュカードに基づいて口座情報及びユーザ情報を取得し、前記記憶装置に記憶する工程と、
前記キャッシュカードを排出する工程と、
本人確認資料の送付の選択画面を前記表示装置に表示する工程と、
前記本人確認資料の送付が選択され、前記本人確認資料が挿入された場合、前記撮像装置で前記本人確認資料を撮像する工程と、
前記記憶装置に記憶された前記口座情報及びユーザ情報と前記撮像装置で撮像された前記本人確認資料の画像データとを関連付けて前記通信装置を介して外部装置に送信する工程と、
を含む情報処理方法。
【請求項９】
記憶装置と表示装置と撮像装置と通信装置とを有する情報機器に、
挿入されたキャッシュカードに基づいて口座情報及びユーザ情報を取得し、前記記憶装置に記憶するステップと、
前記キャッシュカードを排出するステップと、
本人確認資料の送付の選択画面を前記表示装置に表示するステップと、
前記本人確認資料の送付が選択され、前記本人確認資料が挿入された場合、前記撮像装置で前記本人確認資料を撮像するステップと、
前記記憶装置に記憶された前記口座情報及びユーザ情報と前記撮像装置で撮像された前記本人確認資料の画像データとを関連付けて前記通信装置を介して外部装置に送信するステップと、
を実行させるためのプログラム。
【発明の詳細な説明】
【技術分野】
【０００１】
本発明は、情報機器、情報処理方法、システム及びプログラムに関する。
【背景技術】
【０００２】
ＡＴＭ等の情報機器がある。
【先行技術文献】
【特許文献】
【０００３】
【特許文献１】特許第５０５３６４号公報
【発明の概要】
【発明が解決しようとする課題】
【０００４】
しかしながら、従来のＡＴＭ等では、本人確認資料を提出することはできず、例えば、ローンを申請したユーザは、銀行の窓口等に本人確認資料を持参して申し込まなくてはならず、手間がかかっていた。
【課題を解決するための手段】
【０００５】
本発明は、記憶装置と表示装置と撮像装置と通信装置とを有する情報機器であって、挿入されたキャッシュカードに基づいて口座情報及びユーザ情報を取得し、前記記憶装置に記憶し、前記キャッシュカードを排出し、本人確認資料の送付の選択画面を前記表示装置に表示し、前記本人確認資料の送付が選択され、前記本人確認資料が挿入された場合、前記撮像装置で前記本人確認資料を撮像し、前記記憶装置に記憶された前記口座情報及びユーザ情報と前記撮像装置で撮像された前記本人確認資料の画像データとを関連付けて前記通信装置を介して外部装置に送信する。
【発明の効果】
【０００６】
本発明によれば、情報機器を用いて本人確認資料を提出することができる。
【図面の簡単な説明】
【０００７】
【図１】ＡＴＭの外観の一例を示す図である。
【図２】ＡＴＭのハードウェア構成の一例を示す図である。
【図３】ＡＴＭとＨＯＳＴとの情報処理の一例を示すシーケンス図（その１）である。
【図４】メニュー選択画面の一例を示す図である。
【図５】本人確認資料の選択画面の一例を示す図である。
【図６】カードスロットにキャッシュカードを挿入した一例を示す図である。
【図７】暗証番号入力画面の一例を示す図である。
【図８】ＡＴＭとＨＯＳＴとの情報処理の一例を示すシーケンス図（その２）である。
【図９】本人確認資料の挿入を促す画面の一例を示す図である。
【図１０】カードスロットに本人確認資料を挿入した一例を示す図である。
【図１１】本人確認資料の取込確認画面の一例を示す図である。
【図１２】送信確認画面の一例を示す図である。
【図１３】受領完了画面の一例を示す図である。
【図１４】マスキング処理の一例を示す図である。
【図１５】統合後のファイルの一例を示す図である。
【発明を実施するための形態】
【０００８】
以下、本発明の実施形態について図面に基づいて説明する。
【０００９】
＜実施形態１＞
図１は、ＡＴＭ（Ａｕｔｏｍａｔｉｃ  Ｔｅｌｌｅｒ  Ｍａｃｈｉｎｅ）の外観の一例を示す図である。図１に示されるように、ＡＴＭは、カードスロット１０やタッチパネル等の表示入力装置１３０を備える。ＡＴＭ１００は、情報機器の一例である。カードスロット１０は、カードを挿入及び排出する口の一例である。
図２は、ＡＴＭ１００のハードウェア構成の一例を示す図である。図２に示されるように、ＡＴＭ１００は、ハードウェア構成として、制御装置１１０と、記憶装置１２０と、表示入力装置１３０と、撮像装置１４０と、通信装置１５０と、を含む。制御装置１１０は、例えば、ＣＰＵであって、ＡＴＭ１００の全体の処理を制御する。制御装置１１０は、記憶装置１２０に記憶されたプログラムに基づき処理を実行し、ＡＴＭ１００の機能や後述するシーケンス図におけるＡＴＭ１００の処理を実現する。記憶装置１２０は、ＲＡＭ、ＲＯＭ等のメモリであって、プログラムや制御装置１１０が処理を実行する際に利用するデータ等を記憶する。表示入力装置１３０は、例えば、タッチパネル等であって、ＡＴＭ１００の利用者（以下、ユーザという）が操作する画面を表示し、画面を介したユーザの選択操作等を制御装置１１０に入力したり、制御装置１１０による処理の結果等を表示したりする。本実施形態では、表示入力装置１３０を用いて説明を行うが、表示装置、入力装置等と別々にＡＴＭ１００に実装してもよい。また、ＡＴＭ１００は表示入力装置１３０とは別の出力装置や入力装置等を有していてもよい。撮像装置１４０は、制御装置１１０の制御に基づき、カードスロット１０から差し込まれた本人確認資料等を撮像する。本実施形態では、撮像装置１４０は、本人確認資料等の表面と裏面とを撮像するため、２台のカメラを有するものとして説明を行う。通信装置１５０は、ネットワークを介して外部装置とＡＴＭ１００とが通信を行うための装置である。
図２のハードウェア構成は、ＡＴＭ１００のハードウェア構成の一例であって、ＡＴＭ１００は他のハードウェア構成を有していてもよい。記憶装置１２０に記憶されたプログラムは、フレキシブルディスク（ＦＤ）やＣＤ−ＲＯＭ等、コンピュータ読み取り可能な記録媒体に記録され、それらの記録媒体から供給される構成としてもよいし、インターネット等の通信媒体を介して供給される構成としてもよい。また、記憶装置１２０は、記録媒体の一例である。
【００１０】
図３は、ＡＴＭ１００とＨＯＳＴ２００との情報処理の一例を示すシーケンス図（その１）である。ＨＯＳＴ２００は、外部装置の一例である。ＨＯＳＴ２００は、例えば、銀行の基幹系のシステム（又は基幹系の計算機）であるが、例えば、複数のＡＴＭを管理、監視するＡＴＭ監視サーバ等であってもよい。ＨＯＳＴ２００も図２に示したＡＴＭ１００のハードウェア構成と同様に少なくとも制御装置、記憶装置、通信装置等を有し、ＨＯＳＴ２００の制御装置がＨＯＳＴ２００の記憶装置に記憶されたプログラムに基づき処理を実行することによってＨＯＳＴ２００の機能等が実現される。
ＳＱ１０において、ＡＴＭ１００の制御装置１１０は、表示入力装置１３０にメニュー選択画面を表示する。図４は、メニュー選択画面４０の一例を示す図である。ユーザは、メニュー選択画面４０において「本人確認資料の送付」ボタンを選択する。
メニュー選択画面４０において「本人確認資料の送付」ボタンが選択された旨の情報を、表示入力装置１３０から受け取ると、ＳＱ２０において、ＡＴＭ１００の制御装置１１０は、表示入力装置１３０に本人確認資料の選択画面を表示する。図５は、本人確認資料の選択画面４５の一例を示す図である。図５に示されるように、本人確認資料としては、例えば、運転免許証、運転経歴証明書、マイナンバーカード等がある。以下では、説明の簡略化のため、本人確認資料として運転免許証が選択されたものとして説明を行う。本人確認資料の選択画面４５は、本人確認資料の種類を選択する画面の一例を示す図である。
本人確認資料の選択画面４５において本人確認資料の一つが選択された旨の情報を、表示入力装置１３０から受け取ると、ＡＴＭ１００の制御装置１１０は、表示入力装置１３０等に、キャッシュカードの挿入を促す画面を表示する。図６は、ユーザが、カードスロット１０にキャッシュカードを挿入した一例を示す図である。
【００１１】
ＳＱ３０において、ＡＴＭ１００の制御装置１１０は、カードスロット１０にキャッシュカードが挿入されたことを検知する。ＡＴＭ１００の制御装置１１０は、挿入されたキャッシュカードに基づいて、キャッシュカードに係る店番、口座番号、ユーザの仮名氏名等を取得する。
ＳＱ４０において、ＡＴＭ１００の制御装置１１０は、表示入力装置１３０に暗証番号入力画面を表示する。図７は、暗証番号入力画面５０の一例を示す図である。本実施形態では、暗証番号の入力を例に説明を行っているが、ユーザの個人認証をすることができれば、認証情報は暗証番号に限らず、他の情報、例えば手書きサイン情報、指紋情報、手のひらの静脈情報、虹彩情報等、であってもよい。但し、以下では説明の簡略化のため、暗証番号を例に説明を行う。
ＳＱ５０において、ＡＴＭ１００の制御装置１１０は、キャッシュカードに基づき特定したユーザの情報と暗証番号入力画面５０を介して入力された暗証番号とを関連付けて、ユーザの情報と暗証番号との組み合わせが正しいか否かの突合要求をＨＯＳＴ２００に対して送信する。
突合要求をＡＴＭ１００より受信すると、ＳＱ６０において、ＨＯＳＴ２００の制御装置は、受信した突合要求に含まれるユーザの情報と暗証番号とに基づいて、この組み合わせが正しいか否か、組み合わせの情報とＨＯＳＴ２００の記憶装置等に保持されている正しい組み合わせの正解情報とを突合し、判定する。
突合が完了すると、ＨＯＳＴ２００の制御装置は、突合の結果（又は判定の結果）をＡＴＭ１００に対して送信する。ＳＱ７０において、ＡＴＭ１００の制御装置１１０は、ＨＯＳＴ２００より突合の結果（又は判定の結果）を受信する。
正しい組み合わせである旨の結果を受け取ると、ＳＱ８０において、ＡＴＭ１００の制御装置１１０は、キャッシュカードに基づいて取得した、キャッシュカードに係る店番、口座番号、ユーザの仮名氏名等を記憶装置１２０に記憶する。店番、口座番号は、口座情報の一例である。また、ユーザの仮名氏名は、ユーザ情報の一例である。
ＳＱ９０において、ＡＴＭ１００の制御装置１１０は、挿入されたキャッシュカードを、カードスロット１０から排出するよう制御する。
【００１２】
図８は、ＡＴＭ１００とＨＯＳＴ２００との情報処理の一例を示すシーケンス図（その２）である。図８は、上述した図３のＳＱ９０の続きからの情報処理を示している。
ＳＱ１００において、ＡＴＭ１００の制御装置１１０は、表示入力装置１３０等に、本人確認資料の挿入を促す画面を表示する。図９は、本人確認資料の挿入を促す画面５５の一例を示す図である。本実施形態では、キャッシュカードを挿入及び排出するカードスロットと本人確認資料を挿入及び排出するカードスロットとを同一のカードスロットとしているが、別々のカードスロットとしてＡＴＭ１００に実装してもよい。図１０は、ユーザが、カードスロット１０に本人確認資料である運転免許証を挿入した一例を示す図である。
ＳＱ１１０において、ＡＴＭ１００の制御装置１１０は、カードスロット１０に運転免許証が挿入されたことを検知する。
ＳＱ１２０において、ＡＴＭ１００の制御装置１１０は、表示入力装置１３０等に、本人確認資料の取込確認画面を表示する。図１１は、本人確認資料の取込確認画面６０の一例を示す図である。ユーザは、本人確認資料の取り込みを許可する場合、本人確認資料の取込確認画面６０の「取込実行する」ボタンを選択する。
本人確認資料の取込確認画面６０において「取込実行する」ボタンが選択された旨の情報を、表示入力装置１３０から受け取ると、ＳＱ１３０において、ＡＴＭ１００の制御装置１１０は、本人確認資料である運転免許証を取り込み、運転免許証の表面と裏面とを撮像装置１４０の２つのカメラで撮影する。
ＳＱ１４０において、ＡＴＭ１００の制御装置１１０は、ＳＱ１３０の撮影の結果取得された画像データのファイル名に、ＳＱ８０で記憶した店番＋口座番号＋ユーザの仮名氏名＋撮影が行われた時間情報（年月日＋時分秒）を使用し、映像ファイルとして保存する。例えば、ＡＴＭ１００の制御装置１１０は、本人確認資料の表面の映像ファイルのファイル名を「０００１１２３４５６７キンユウタロウ２０１７０２２５１２３５０２１＿１」として映像ファイルを作成し、保存する。また、ＡＴＭ１００の制御装置１１０は、本人確認資料の裏面の映像ファイルのファイル名を「０００１１２３４５６７キンユウタロウ２０１７０２２５１２３５０２１＿２」として映像ファイルを作成し、保存する。
本人確認資料の種類により表面と裏面との何れか一方の情報でローン等を申し込む際の本人確認を行うことができる場合には、ＡＴＭ１００の制御装置１１０は、表面と裏面との何れか一方についてのみ映像ファイルを作成し、保存する構成であってもよい。
【００１３】
ＳＱ１５０において、ＡＴＭ１００の制御装置１１０は、表示入力装置１３０等に、送信前確認画面を表示する。図１２は、送信確認画面６５の一例を示す図である。ユーザは、本人確認資料の内容を確認し、送信してもよいと判断した場合、送信確認画面６５の「確認して送信する」ボタンを選択する。
送信確認画面６５の「確認して送信する」ボタンが選択された旨の情報を、表示入力装置１３０から受け取ると、ＳＱ１６０において、ＡＴＭ１００の制御装置１１０は、本人確認資料の表面の映像ファイルと裏面の映像ファイルとをＨＯＳＴ２００に送信する。また、映像ファイルに含まれる画像データは、本人確認資料の画像データの一例である。
ＡＴＭ１００より映像ファイルを受信すると、ＳＱ１７０において、ＨＯＳＴ２００の制御装置は、本人確認資料の表面の映像ファイルと裏面の映像ファイルとをＨＯＳＴ２００の記憶装置等に保存する。
保存が完了すると、ＨＯＳＴ２００の制御装置は、ファイルの保存完了メッセージをＡＴＭ１００に対して送信する。ＳＱ１８０において、ＡＴＭ１００の制御装置１１０は、ＨＯＳＴ２００より保存完了メッセージを受信する。
ＳＱ１９０において、ＡＴＭ１００の制御装置１１０は、表示入力装置１３０に受領完了画面を表示する。図１３は、受領完了画面７０の一例を示す図である。
ＳＱ２００において、ＡＴＭ１００の制御装置１１０は、挿入された本人確認資料を、カードスロット１０から排出するよう制御する。
【００１４】
次に、映像ファイルを記憶装置等に保存した後のＨＯＳＴ２００の制御装置の処理を説明する。本人確認資料の表面の映像ファイルと裏面の映像ファイルとをＨＯＳＴ２００の記憶装置等に記憶したＨＯＳＴ２００の制御装置は、映像ファイルの画像データに対してマスキング処理を実行する。より具体的に説明すると、ＨＯＳＴ２００の制御装置は、本人確認資料が運転免許証の場合、画像データの機微情報領域に対して、マスキング処理を実行する。図１４は、マスキング処理の一例を示す図である。図１４に示されるように、ＨＯＳＴ２００の制御装置は、運転免許証の表面の条件等欄８０や、運転免許証の裏面の臓器提供欄８５等の機微情報領域に対して、マスキング処理を実行する。マスキング対象の領域は、本人確認資料の種類ごとに予め定められており、マスキング対象の領域を特定する情報がＨＯＳＴ２００の記憶装置に記憶されている。そして、ＨＯＳＴ２００の制御装置は、画像データの中からマスキング対象の領域を特定し、マスキング処理を実行することができる。また、マスキング処理はＨＯＳＴ２００で行われる以外に、ＡＴＭ１００において同様にして行われる構成でもよい。マスキング対象の領域を特定する情報としては、例えば文字認識処理によりマスキング対象の項目を認識した上で所定の範囲にマスキングをするようにしてもよいし、又は本人確認資料ごとにマスキング対象の座標情報が予め設定されており、その座標情報に基づいてマスキングするようにしてもよい。
次に、ＨＯＳＴ２００の制御装置は、本人確認資料の表面の映像ファイルと裏面の映像ファイルとを１つのファイルに統合する。図１５は、統合後のファイル９０の一例を示す図である。ＨＯＳＴ２００の制御装置は、例えば、統合前のファイル名が、「０００１１２３４５６７キンユウタロウ２０１７０２２５１２３５０２１＿１」、「０００１１２３４５６７キンユウタロウ２０１７０２２５１２３５０２１＿２」であった場合、統合後のファイル名を「０００１１２３４５６７キンユウタロウ」等とする。図１５においてマスキング処理されている部分は、銀行員からは書かれていた情報が見えない部分である。
統合後のファイル９０のファイル名を店番及び口座番号等を含むようにすることによって、他のシステムで保有しているデータとのマッチングを容易に行うことができるようになる。ここで、他のシステムとは、例えば、ローン申請システム等がある。ローン申請システムは、端末装置やサーバ装置を含んで構成され、図２に示したＡＴＭ１００やＨＯＳＴ２００のハードウェア構成と同様に少なくとも制御装置、記憶装置、通信装置等を有し、端末装置やサーバ装置に含まれる制御装置が記憶装置に記憶されたプログラムに基づき処理を実行することによってローン申請システムの各種機能等が実現される。ローン申請システムの端末がＡＴＭ１００、サーバ装置がＨＯＳＴ２００として構成されてもよい。
ローン申請システムは、例えば、ローン申請システムの端末装置上の申し込みデータに店番及び口座番号が入力されている場合、ローン申請システムのサーバ装置が、ＨＯＳＴ２００へ問い合せを行い、ローン申請システムの端末装置で入力されているこれらの情報とＨＯＳＴ２００の記憶装置に記憶されている本人確認資料のファイル名とのマッチング処理により、申し込みデータと本人確認資料の統合後のファイル９０とを容易に関連付けることができる。ローン申請システムは、関連付けた後（即ち、ローン申請システム側で本人確認資料のファイル９０を取得した後）、申し込みデータと本人確認資料の統合後のファイル９０とを例えばディスプレイ等に表示することによって、銀行員等は、ローン申請システムに入力された氏名、住所、生年月日等が正しいことを確認することができる。
本実施形態の処理によれば、ＡＴＭ１００を用いて本人確認資料を提出することができる。
【００１５】
＜実施形態２＞
実施形態１では、ユーザは、図４のメニュー選択画面４０において「本人確認資料の送付」ボタンを選択した場合を例に説明を行った。しかし、例えば、ユーザが、図４のメニュー選択画面４０において「本人確認資料の送付」ボタン以外のボタン（例えば、「残高照会」ボタン）を選択し、ＡＴＭ１００の制御装置１１０が選択されたボタンに応じた処理を行っている際に、挿入されたキャッシュカード、又は通帳等から取得した、店番、口座番号、ユーザの仮名氏名等を含む本人確認資料の送付を必要とするような申し込みがあるか否か（本人確認資料の送付の要否）をＨＯＳＴ２００に対して、問い合わせるようにしてもよい。問い合わせの結果、該当するユーザが、本人確認資料の送付を必要とするような申し込み（例えば、ローン申請等）をしていた場合、ＡＴＭ１００の制御装置１１０は、表示入力装置１３０に本人確認資料の送付を促すような画面を表示するようにしてもよい。ユーザが、本人確認資料を送付することを選択した場合、ＡＴＭ１００の制御装置１１０は、表示入力装置１３０等に、図９に示したような本人確認資料の挿入を促す画面５５を表示する。即ち、本実施形態の処理では、「本人確認資料の送付」ボタン以外のボタンが選択され、その選択されたボタンに応じて処理において、ＡＴＭ１００の制御装置１１０は、図３に示したような処理は実行しているものとしている。
本実施形態の処理によっても、ＡＴＭ１００を用いて、他の処理（例えば、残高照会等）を行っている際に、本人確認資料の送付が必要なユーザであるか否か、問い合わせを行い、問い合わせの結果に応じて本人確認資料を提出することができる。
【００１６】
以上、本発明の実施形態の一例について詳述したが、本発明は係る特定の実施形態に限定されるものではない。例えば、上述した実施形態では、情報機器の一例として、ＡＴＭを用いて説明を行ったが、これに限定されるものではなく、自動券売機等であってもよい。
また、上述した実施形態では、撮像装置１４０として本人確認資料等の表面と裏面とを撮像するため、２台のカメラを有するものとして説明を行った。しかし、ＡＴＭ１００は、１台のカメラのみを有し、カメラで本人確認資料の表面を撮影すると、カードスロット１０より本人確認資料を排出し、裏にしてカードスロット１０より本人確認資料を挿入するよう促すようにしてもよい。そして、ＡＴＭ１００は、裏にして挿入された本人確認資料をカメラで撮影し、本人確認資料の表面と裏面との画像データを取得するようにしてもよい。
【００１７】
以上、上述した各実施形態によれば、ＡＴＭ１００等の情報機器を用いて本人確認資料を提出することができる。
【符号の説明】
【００１８】
１００  ＡＴＭ
１１０  制御装置
１２０  記憶装置
１３０  表示入力装置
１４０  撮像装置
１５０  通信装置
【図１】
2018151755.tif 000003
【図２】
2018151755.tif 000004
【図３】
2018151755.tif 000005
【図４】
2018151755.tif 000006
【図５】
2018151755.tif 000007
【図６】
2018151755.tif 000008
【図７】
2018151755.tif 000009
【図８】
2018151755.tif 000010
【図９】
2018151755.tif 000011
【図１０】
2018151755.tif 000012
【図１１】
2018151755.tif 000013
【図１２】
2018151755.tif 000014
【図１３】
2018151755.tif 000015
【図１４】
2018151755.tif 000016
【図１５】
2018151755.tif 000017